(57)【要約】【課題】一つの記録媒体に記録された暗号化鍵を用いて復号化される暗号化コンテンツを、同時に異なる場所で限定的に再生可能にする。【解決手段】暗号化コンテンツを再生するホスト機器１００において、鍵メディア１２０の情報記録領域１２１にある暗号化鍵をホストＩ／Ｆ１２４及び鍵メディア挿入部１０４を介して暫定的に鍵情報格納用メモリ１０２に複製する。また、同じく取り込んだ暫定鍵使用制限情報により、複製された鍵情報の有効期間を管理する暫定鍵使用制限処理部１０１を備えることで、暫定的な暗号化コンテンツの再生を可能とする。【選択図】図１
2008034891.tif 000002
【特許請求の範囲】
【請求項１】
暗号化鍵を用いて暗号化されたデジタル著作物を再生する機器において、前記暗号化鍵が格納された鍵メディアを認識することにより、機器内に暫定的に鍵を生成し、前記鍵メディアが認識不能となっても前記デジタル著作物の制限付の再生が可能とすることを特徴とする暗号化コンテンツ再生装置。
【請求項２】
暗号化鍵を用いて暗号化されたデジタル著作物を再生する機器において、前記暗号化鍵が格納された鍵メディアを挿入するための鍵メディア挿入部と、前記鍵メディアから得られる鍵情報を暫定的に格納するための鍵情報格納用メモリと、前記鍵情報格納用メモリに格納された鍵情報の使用を制限する暫定鍵使用制限処理部と、前記鍵情報格納用メモリに格納された鍵情報を使用して暗号化されたデジタル著作物を復号する暗号復号処理部とを備えたことを特徴とする暗号化コンテンツ再生装置。
【請求項３】
前記鍵メディア挿入部は、鍵メディアが挿入されたことを感知して、鍵情報を鍵情報格納用メモリに格納することを特徴とする請求項２記載の暗号化コンテンツ再生装置。
【請求項４】
前記鍵情報格納用メモリは、複数の鍵情報を格納することが可能であることを特徴とする請求項２または請求項３記載の暗号化コンテンツ再生装置。
【請求項５】
前記鍵情報格納用メモリは、鍵情報と一緒に鍵の使用制限情報（暫定鍵使用制限情報）を格納することが可能であることを特徴とする請求項２から請求項４のいずれかに記載の暗号化コンテンツ再生装置。
【請求項６】
前記暫定鍵使用制限処理部は、暫定鍵使用制限情報により指定された条件により、前記鍵情報格納用メモリに格納された暗号化鍵の使用を制御することを特徴とする請求項２から請求項５のいずれかに記載の暗号化コンテンツ再生装置。
【請求項７】
前記暫定鍵使用制限処理部は、暗号化コンテンツ内に格納された暫定鍵使用制限情報により指定された条件により、前記鍵情報格納用メモリに格納された暗号化鍵の使用を制御することを特徴とする請求項２から請求項４のいずれかに記載の暗号化コンテンツ再生装置。
【請求項８】
前記暫定鍵使用制限処理部は、暫定鍵使用制限情報により指定された条件により使用できなくなった鍵情報を、前記鍵情報格納用メモリから削除することを特徴とする請求項２から請求項７のいずれかに記載の暗号化コンテンツ再生装置。
【請求項９】
前記暫定鍵使用制限処理部は、時間管理機能を有することを特徴とする請求項２から請求項８のいずれかに記載の暗号化コンテンツ再生装置。
【請求項１０】
前記暫定鍵使用制限部は、暫定鍵使用制限情報から得られた制限時間と再生時間とを比較し、制限時間が経過すると前記鍵情報格納用メモリ内の鍵情報を無効にすることを特徴とする請求項９記載の暗号化コンテンツ再生装置。
【請求項１１】
前記暫定鍵使用制限処理部は、再生回数管理機能を有することを特徴とする請求項２から請求項８のいずれかに記載の暗号化コンテンツ再生装置。
【請求項１２】
前記暫定鍵使用制限部は、暫定鍵使用制限情報から得られた制限回数と再生回数とを比較し、制限回数コンテンツを再生すると前記鍵情報格納用メモリ内の鍵情報を無効にすることを特徴とする請求項１１記載の暗号化コンテンツ再生装置。
【請求項１３】
前記暫定鍵使用制限処理部は、距離探知機能を有することを特徴とする請求項２から請求項８のいずれかに記載の暗号化コンテンツ再生装置。
【請求項１４】
前記暫定鍵使用制限部は、暫定鍵使用制限情報から得られた制限距離と鍵メディアが存在する位置からの距離とを比較し、鍵メディアが制限距離よりも遠くに存在する場合に前記鍵情報格納用メモリ内の鍵情報を無効にすることを特徴とする請求項１３記載の暗号化コンテンツ再生装置。
【請求項１５】
前記暗号復号処理部は、前記鍵情報格納用メモリに格納された単数または複数の鍵情報から、前記暫定鍵使用制限処理部において、使用が可能であると判定された鍵を使用した暗号化コンテンツのみを復号化することを特徴とする請求項２から請求項１４のいずれかに記載の暗号化コンテンツ再生装置。
【請求項１６】
前記暗号復号処理部は、前記鍵情報格納用メモリに格納された暗号化鍵を復号する機能を有することを特徴とする請求項２から請求項１５のいずれかに記載の暗号化コンテンツ再生装置。
【請求項１７】
暗号化鍵を用いて暗号化されたデジタル著作物を再生する機器において、前記暗号化鍵が格納された鍵メディアを認識することにより、機器内に暫定的に鍵を生成し、前記鍵メディアが認識不能になっても前記デジタル著作物の制限付の再生が可能とすることを特徴とする暗号化コンテンツ再生方法。
【請求項１８】
暗号化鍵を用いて暗号化されたデジタル著作物を再生する機器において、前記暗号化鍵が格納された鍵メディアから得られる鍵情報を暫定的に鍵情報格納用メモリに格納するステップと、前記鍵情報格納用メモリに格納された鍵情報の使用を制限する暫定鍵使用制限情報を取得するステップと、前記暫定鍵使用制限情報を用いて鍵情報の使用可否を判定するステップと、鍵情報の使用が可能な場合に前記鍵情報格納用メモリに格納された鍵情報を取得して暗号化されたデジタル著作物を復号する暗号復号ステップと、復号化されたデジタル著作物を再生する再生ステップと、鍵情報の使用が不可能な場合に前記鍵情報格納用メモリに格納された鍵情報を無効にするステップを備えたことを特徴とする暗号化コンテンツ再生方法。
【請求項１９】
前記鍵情報を暫定的に鍵情報格納用メモリに格納するステップは、鍵メディアが挿入されたことを感知し、鍵情報を鍵情報格納用メモリに格納するステップを備えたことを特徴とする請求項１８記載の暗号化コンテンツ再生方法。
【請求項２０】
前記鍵情報の使用可否を判定するステップは、暗号化コンテンツ内に格納された暫定鍵使用制限情報により指定された条件により、前記鍵情報格納用メモリに格納された暗号化鍵の使用可否を判定することを特徴とする請求項１８または請求項１９記載の暗号化コンテンツ再生方法。
【請求項２１】
前記鍵情報の使用可否を判定するステップは、暫定鍵使用制限情報から得られた制限時間と再生時間とを比較するステップと、制限時間が経過すると前記鍵情報格納用メモリ内の鍵情報を無効にすると判定するステップを備えたことを特徴とする請求項１８から請求項２０のいずれかに記載の暗号化コンテンツ再生方法。
【請求項２２】
前記鍵情報の使用可否を判定するステップは、暫定鍵使用制限情報から得られた制限回数と再生回数とを比較するステップと、制限回数コンテンツを再生すると前記鍵情報格納用メモリ内の鍵情報を無効にすると判定するステップを備えたことを特徴とする請求項１８から請求項２０のいずれかに記載の暗号化コンテンツ再生方法。
【請求項２３】
前記鍵情報の使用可否を判定するステップは、暫定鍵使用制限情報から得られた制限距離と鍵メディアが存在する位置からの距離とを比較するステップと、鍵メディアが制限距離よりも遠くに存在する場合に前記鍵情報格納用メモリ内の鍵情報を無効にすると判定するステップを備えたことを特徴とする請求項１８から請求項２０のいずれかに記載の暗号化コンテンツ再生方法。
【請求項２４】
前記暗号復号ステップは、鍵情報格納用メモリに格納された複数の鍵情報の中から、暗号復号に必要な鍵情報を選択するステップを備えたことを特徴とする請求項１８から請求項２３のいずれかに記載の暗号化コンテンツ再生方法。
【請求項２５】
前記暗号復号ステップは、前記鍵情報格納用メモリに格納された暗号化鍵を復号するステップを備えたことを特徴とする請求項１８から請求項２４のいずれかに記載の暗号化コンテンツ再生方法。
【請求項２６】
前記鍵情報格納用メモリに格納された鍵情報を無効にするステップは、使用が不可能な鍵情報を、前記鍵情報格納用メモリから削除するステップを備えたことを特徴とする請求項１８から請求項２５のいずれかに記載の暗号化コンテンツ再生方法。
【請求項２７】
暗号化鍵を用いて暗号化されたデジタル著作物を再生する機器において、前記暗号化鍵が格納された鍵メディアを認識することにより、機器内に暫定的に鍵を生成し、前期鍵メディアが認識不能となっても前記デジタル著作物の制限付の再生が可能とすることを特徴とする暗号化コンテンツ再生プログラムをコンピュータに読み取り可能にした記録媒体。
【請求項２８】
暗号化鍵を用いて暗号化されたデジタル著作物を再生する機器において、前記暗号化鍵が格納された鍵メディアから得られる鍵情報を暫定的に鍵情報格納用メモリに格納するステップと、前記鍵情報格納用メモリに格納された鍵情報の使用を制限する暫定鍵使用制限情報を取得するステップと、前記暫定鍵使用制限情報を用いて鍵情報の使用可否を判定するステップと、鍵情報の使用が可能な場合に前記鍵情報格納用メモリに格納された鍵情報を取得して暗号化されたデジタル著作物を復号する暗号復号ステップと、復号化されたデジタル著作物を再生する再生ステップと、鍵情報の使用が不可能な場合に前記鍵情報格納用メモリに格納された鍵情報を無効にするステップを備えたことを特徴とする暗号化コンテンツ再生プログラムをコンピュータに読み取り可能にした記録媒体。
【請求項２９】
前記鍵情報を暫定的に鍵情報格納用メモリに格納するステップは、鍵メディアが挿入されたことを感知し、自動的に鍵情報を鍵情報格納用メモリに格納するステップを備えたことを特徴とする請求項２８記載の暗号化コンテンツ再生プログラムをコンピュータに読み取り可能にした記録媒体。
【請求項３０】
前記鍵情報の使用可否を判定するステップは、暗号化コンテンツ内に格納された暫定鍵使用制限情報により指定された条件により、前記鍵情報格納用メモリに格納された暗号化鍵の使用可否を判定することを特徴とする請求項２８または請求項２９記載の暗号化コンテンツ再生プログラムをコンピュータに読み取り可能にした記録媒体。
【請求項３１】
前記鍵情報の使用可否を判定するステップは、暫定鍵使用制限情報から得られた制限時間と再生時間とを比較するステップと、制限時間が経過すると前記鍵情報格納用メモリ内の鍵情報を無効にすると判定するステップを備えたことを特徴とする請求項２８から請求項３０のいずれかに記載の暗号化コンテンツ再生プログラムをコンピュータに読み取り可能にした記録媒体。
【請求項３２】
前記鍵情報の使用可否を判定するステップは、暫定鍵使用制限情報から得られた制限回数と再生回数とを比較するステップと、制限回数コンテンツを再生すると前記鍵情報格納用メモリ内の鍵情報を無効にすると判定するステップを備えたことを特徴とする請求項２８から請求項３０のいずれかに記載の暗号化コンテンツ再生プログラムをコンピュータに読み取り可能にした記録媒体。
【請求項３３】
前記鍵情報の使用可否を判定するステップは、暫定鍵使用制限情報から得られた制限距離と鍵メディアが存在する位置からの距離とを比較するステップと、鍵メディアが制限距離よりも遠くに存在する場合に前記鍵情報格納用メモリ内の鍵情報を無効にすると判定するステップを備えたことを特徴とする請求項２８から請求項３０にいずれかに記載の暗号化コンテンツ再生プログラムをコンピュータに読み取り可能にした記録媒体。
【請求項３４】
前記暗号復号ステップは、鍵情報格納用メモリに格納された複数の鍵情報の中から、暗号復号に必要な鍵情報を選択するステップを備えたことを特徴とする請求項２８から請求項３３にいずれかに記載の暗号化コンテンツ再生プログラムをコンピュータに読み取り可能にした記録媒体。
【請求項３５】
前記暗号復号ステップは、前記鍵情報格納用メモリに格納された暗号化鍵を復号するステップを備えたことを特徴とする請求項２８から請求項３４のいずれかに記載の暗号化コンテンツ再生プログラムをコンピュータに読み取り可能にした記録媒体。
【請求項３６】
前記鍵情報格納用メモリに格納された鍵情報を無効にするステップは、使用が不可能な鍵情報を、前記鍵情報格納用メモリから削除するステップを備えたことを特徴とする請求項２８から請求項３５のいずれかに記載の暗号化コンテンツ再生プログラムをコンピュータに読み取り可能にした記録媒体。
【発明の詳細な説明】
【技術分野】
【０００１】
本発明は、暗号化コンテンツを復号する暗号化鍵の管理にかかる暗号化コンテンツ再生装置および暗号化コンテンツ再生方法に関するものである。
【背景技術】
【０００２】
従来、半導体メモリや磁気ディスク、光磁気ディスクなどの情報記録媒体にデジタル著作物を格納する場合には、著作権保護のためにデジタル著作物を暗号化鍵で暗号化することが一般に行われている。この暗号化において用いられる暗号化鍵は、ユーザが容易に見ることができない形で格納されていることが多い。例えば、暗号化を解くときに相互認証を必要とする領域（以下、認証領域と記述）を記録媒体内に設け、この領域に暗号化鍵を格納することで保護する方法が提案されている（特許文献１参照）。
【０００３】
また、デジタル著作物の増加に伴い、認証領域に格納された暗号化鍵によって暗号化された第二の暗号化鍵を、相互認証を必要としない領域（以下、通常領域と記述）に格納し、暗号化されたデジタル著作物（以下、暗号化コンテンツと記述）は他の記録媒体やネットワーク上のサーバなどに置かれるという形態も考えられている。
【０００４】
上記どちらの場合においても、暗号化コンテンツを復号しデジタル著作物を再生するためには、暗号化鍵が不可欠である。
【特許文献１】特開２００３−２３３７９５号公報
【発明の開示】
【発明が解決しようとする課題】
【０００５】
しかしながら、上記の従来技術には次のような問題点がある。
【０００６】
暗号化鍵は、暗号化コンテンツが記録されている記録媒体に、暗号化コンテンツ１つにつき１つがペアで割り当ててあったり、複数の暗号化鍵記録用の記録媒体が存在したりするため、例えば家族で一つのデジタル著作物を複数購入したときに、一人がその鍵を使ってデジタル著作物を再生しているときには、他の人が同じ記録媒体に記録されているデジタル著作物、もしくは同じ記録媒体に記録されている暗号化鍵を用いて復号される暗号化コンテンツを同時に再生することができない。
【０００７】
また、家庭内ネットワークで複数の部屋から一つのサーバ機器にアクセスしてデジタル著作物を楽しみたいときに、暗号化鍵の記録された記録媒体（以下、鍵メディアと記述）を物理的に移動させなければならないため、同時にはサーバ内のコンテンツを利用することはできない。もしくはサーバ機器に鍵メディアを入れたままにしておかなければならない。
【０００８】
本発明では上記問題点に鑑み、暗号化鍵を暫定的に複製し、その有効期間を管理することにより、１つの記録媒体に記録された暗号化鍵を用いて復号化される暗号化コンテンツを、同時に異なる場所で再生可能な暗号化コンテンツ再生装置および暗号化コンテンツ再生方法を提供する。
【課題を解決するための手段】
【０００９】
本発明の暗号化コンテンツ再生装置および方法は、鍵メディアを利用する暗号化コンテンツ再生用機器（以下、ホスト機器と記述）が、暗号化鍵情報を暫定的に格納するための鍵情報格納用メモリを保有していることを第一の特徴とする。
【００１０】
また、前記鍵情報の使用を制限する情報が用いられ、制限付きの再生が可能であることを第二の特徴とする。
【００１１】
また、前記鍵情報格納用メモリが複数の鍵情報を格納することが可能であることを第三の特徴とする。
【００１２】
また、暗号化鍵と暗号化鍵の使用制限情報が一緒に格納されていることを第四の特徴とする。
【００１３】
また、前記鍵情報格納用メモリに格納された鍵情報を、指定された条件により削除、あるいは使用不可能にする暫定鍵使用制限処理部を備えたことを第五の特徴とする。
【００１４】
また、前記暫定鍵使用制限処理部が再生時間、再生回数、鍵メディアもしくは鍵メディアが挿入された機器との距離などを制限条件として処理を行う機能を持つことを第六の特徴とする。
【発明の効果】
【００１５】
本発明の再生装置および再生方法は、第一の特徴により鍵メディアが存在しなくても暗号化コンテンツを再生することが可能となる。
【００１６】
また、第二の特徴により、暗号化コンテンツが指定された条件通りに再生不可能になることで著作権が保護される。
【００１７】
また、第三の特徴により、鍵メディアが存在しなくても複数の暗号化コンテンツを再生することが可能となる。
【００１８】
また、第四の特徴により、暗号化鍵とその使用制限情報の対応が容易に取れるようになる。
【００１９】
また、第五の特徴により、暗号化コンテンツが鍵メディアのない状態で制限なく再生されることを防止できる。
【００２０】
また、第六の特徴の制限のパラメータを変更したり、組み合わせたりすることで、自由なサービスを展開できるようになる。
【００２１】
また、第六の特徴を暗号化コンテンツ毎に設定することにより、暗号化コンテンツ毎に暫定鍵の使用制限情報を変更することが可能となる。
【発明を実施するための最良の形態】
【００２２】
以下、本発明の実施の形態について、図１から図１０を用いて説明する。
【００２３】
（実施の形態１）
図１は、本発明装置の実施の形態１における暗号化コンテンツ再生装置及び鍵メディアの構成を示す図であって、１００はホスト機器、１０１は暫定鍵使用制限処理部、１０２は鍵情報格納用メモリ、１０３は暗号復号処理部、１０４は鍵メディア挿入部、１０５は再生処理部、１２０は鍵メディア、１２１は情報記録領域、１２２は認証領域、１２３は通常領域、１２４はホストＩ／Ｆである。
【００２４】
以上のように構成された再生装置について、以下、その動作を述べる。
【００２５】
鍵メディア挿入部１０４では、鍵メディア１２０が挿入されると、ホストＩ／Ｆ１２４を通して、情報記録領域１２１に格納された鍵情報が鍵情報格納用メモリ１０２へ、暫定鍵使用制限情報が暫定鍵使用制限処理部１０１へ出力される。
【００２６】
暫定鍵使用制限処理部１０１では、鍵メディア挿入部１０４を通して入力された暫定鍵使用制限情報に従って、鍵情報格納用メモリ１０２に格納された暫定鍵を制御する。
【００２７】
暗号復号処理部１０３では、鍵情報格納用メモリ１０２に格納された暫定鍵を用いて暗号化コンテンツの暗号を復号化し、復号化されたコンテンツを再生処理部１０５へ出力する。
【００２８】
再生処理部１０５では、暗号復号処理部１０３で復号化されたコンテンツを再生する。
【００２９】
図２は、本発明の一実施例の形態における再生装置のフローチャートである。図２を用いて、本実施の形態による再生装置の動作を説明する。
【００３０】
先ず、ホスト機器１００の鍵メディア挿入部１０４に暗号化鍵が格納された鍵メディア１２０が挿入されると、ホストＩ／Ｆ１２４を通して、情報記録領域１２１に格納された鍵情報が鍵情報格納用メモリ１０２に格納される（Ｓ２０１）。
【００３１】
例えば、鍵メディア１２０としてＳＤ（セキュアデジタル）メモリカードを使用し、ホスト機器としてＳＤオーディオプレーヤーがあるとする。また、暗号化されたコンテンツも予めＳＤオーディオプレーヤーにセットされているものとする。コンテンツはＣＤなどのようなメディアに入っていても構わない。また、コンテンツは、暗号化された放送コンテンツであっても構わない。
【００３２】
このような状況において、ＳＤオーディオプレーヤーに、認証領域に暗号化鍵が格納されているＳＤメモリカードを挿入すると、ＳＤオーディオプレーヤーの内部メモリに、自動的に暗号化されたコンテンツを復号するための暗号鍵情報が、暗号化されたまま暫定鍵として格納される。
【００３３】
次に、鍵情報格納用メモリ１０２に格納された鍵情報の使用を制限する暫定鍵使用制限情報が取得される（Ｓ２０２）。
【００３４】
例えば、ＳＤメモリカードの認証領域に暫定鍵使用制限情報が格納されている場合、そこから制限情報が取得される。
【００３５】
暫定鍵使用制限情報がホスト機器１００に取得された後、鍵メディア１２０をホスト機器１００から抜き取る（Ｓ２０３）。
【００３６】
暫定鍵使用制限処理部１０１では、取得された暫定鍵使用制限情報に基づき暫定鍵の使用可否を判定する（Ｓ２０４）。
【００３７】
暫定鍵使用制限処理部１０１で暫定鍵の使用が可能であると判定された場合には、暗号復号処理部１０３において鍵情報格納用メモリ１０２に格納された鍵情報を用いて暗号化コンテンツが復号され（Ｓ２０５）、再生処理部１０５で再生される（Ｓ２０６）。
【００３８】
一方、暫定鍵使用制限処理部１０１で暫定鍵の使用が不可能であると判定された場合には、鍵情報格納用メモリ１０２に格納された鍵情報が無効化される（Ｓ２０７）。
【００３９】
例えば、暫定鍵使用制限処理部１０１が回数管理機能を有しており、暫定鍵使用制限情報として、鍵メディアがホスト機器から抜き取られた後に１回だけ再生できるという条件が付いていた場合、暫定鍵使用制限処理部１０１はＳＤメモリカードをＳＤオーディオプレーヤーから抜き取った後に再生回数を監視し、１回目だけは取得された暫定鍵で暗号化されたコンテンツを再生することが可能であり、再生が１回終わると、暫定鍵はＳＤオーディオプレーヤーの内部メモリから削除される。つまり無効化される。
【００４０】
なお、本実施の形態では、鍵情報を内部メモリに格納する方法として、鍵メディアをホスト機器に挿入した際に自動的に格納される例を示したが、ホスト機器に付随するスイッチなどを使用して手動で行っても構わない。
【００４１】
また、本実施の形態では、暗号鍵情報を、暗号化されたまま暫定鍵として格納したが、鍵情報が外に漏れない形であれば、暗号を解いた状態で格納しても構わない。
【００４２】
また、本実施の形態では、図２に示すＳ２０１のステップの後にＳ２０２を行う例を示したが、Ｓ２０１とＳ２０２は入れ替えても同様の効果が得られることは明らかである。
【００４３】
また、本実施の形態では、Ｓ２０２の後にＳ２０３を行う例を示したが、暫定鍵使用制限情報が鍵メディアに格納されている場合を除けば、鍵情報を取得するＳ２０１の後にＳ２０３を行っても同様の効果が得られることは明らかである。
【００４４】
また、本実施の形態では、暫定鍵使用制限情報がＳＤメモリカードから取得される例を示したが、暫定鍵使用制限情報がＳＤオーディオプレーヤーに有線、無線のネットワークやメディアを用いて取得されても構わない。
【００４５】
また、本実施の形態では、暫定鍵使用制限情報を鍵メディアがホスト機器から抜き取られてから再生回数１回としたが、再生回数が複数であっても構わないし、暫定鍵使用制限情報として再生時間を用いても、鍵メディアとホスト機器との距離を用いても構わない。
【００４６】
また、暗号化コンテンツと暗号化鍵は、単数であっても複数であっても構わないし、再生するための暗号化コンテンツと暗号化鍵の対さえ揃えば、その他のものは対であっても対でなくても構わない。
【００４７】
以上のような方法を用いることにより、鍵メディアをホスト機器から抜き取っても、単数または複数の暗号化コンテンツを再生することが可能となる。
【００４８】
また、暫定鍵使用制限処理部が回数管理機能を有することで、有限回の再生を行うことが可能となる。
【００４９】
また、暫定鍵を使用制限情報に従い、無効化することで、著作権が保護される。
【００５０】
また、ＳＤメモリカードの認証領域に暫定鍵使用制限情報が格納されている場合には、暗号化鍵とその使用制限情報の対応が容易に取れる。
【００５１】
（実施の形態２）
図３は、本発明の実施の形態２における暗号化コンテンツ再生装置及び鍵メディアの構成を示す図であって、図中の構成３００、３０１、３０２、３０３、３０４、３０５、３２０、３２１、３２２、３２３、３２４は実施の形態１における図１の１００、１０１、１０２、１０３、１０４、１０５、１２０、１２１、１２２、１２３、１２４と同様のものである。実施の形態２と実施の形態１との異なる点はホスト機器３００内に、暗号化コンテンツ格納用メモリ３１１を備える点である。
【００５２】
以上のように構成された再生装置について、以下、その動作を述べる。
【００５３】
鍵メディア挿入部３０４では、鍵メディア３２０が挿入されると、ホストＩ／Ｆ３２４を通して、情報記録領域３２１に格納された鍵情報および暫定鍵使用制限情報が鍵情報格納用メモリ３０２へ出力される。
【００５４】
暫定鍵使用制限処理部３０１では、鍵メディア挿入部３０４を通して鍵情報格納用メモリ３０２に格納された暫定鍵使用制限情報に従って、鍵情報格納用メモリ３０２に格納された暫定鍵を制御する。
【００５５】
暗号復号処理部３０３では、鍵情報格納用メモリ３０２に格納された暫定鍵を用いて暗号化コンテンツの暗号を復号化し、復号化されたコンテンツを再生処理部３０５へ出力する。
【００５６】
再生処理部３０５では、暗号復号処理部３０３で復号化されたコンテンツを再生する。
【００５７】
図４は、本発明の一実施例の形態における再生装置のフローチャートである。また、図５は、本発明の一実施例の形態における再生装置、及び、鍵メディアの概念図であり、図６は、本発明の一実施例の形態における鍵情報と暫定鍵使用制限情報の概念図である。
【００５８】
図５において、５２０から５２４は図３の３２０から３２４と同様のものである。また、５３０はオーディオプレーヤー、５４０はテレビである。
【００５９】
次に、図４、図５、図６を用いて、本実施の形態の再生装置の動作を説明する。
【００６０】
ここで、鍵メディア５２０はＳＤメモリカード、オーディオプレーヤー５３０およびテレビ５４０は図３のホスト機器３００の構成を持つものとする。また、暗号化コンテンツは鍵メディア５２０の通常領域５２３に格納されているものとする。さらにここでは、ＳＤメモリカードの認証領域に、図６に示されるように、鍵情報と暫定鍵使用制限情報が対で格納されており、コンテンツ毎に暫定鍵使用制限情報が変更できるものとする。
【００６１】
先ず、オーディオプレーヤー５３０にＳＤメモリカード（鍵メディア５２０）が挿入されると、ＳＤメモリカードの認証領域５２２に格納された鍵情報および暫定鍵使用制限情報がオーディオプレーヤー５３０の鍵情報格納用メモリ３０２に格納される（Ｓ４０１）。
【００６２】
次に、オーディオプレーヤー５３０の暗号化コンテンツ格納用メモリ３１１に、鍵メディア５２０の通常領域５２３に格納されている暗号化コンテンツが格納される（Ｓ４０８）。
【００６３】
オーディオプレーヤー５３０に暗号化コンテンツが格納された後、ＳＤメモリカードをオーディオプレーヤー５３０から抜き取る（Ｓ４０３）。
【００６４】
オーディオプレーヤー５３０の暫定鍵使用制限処理部３０１では、取得された暫定鍵使用制限情報に基づき暫定鍵の使用可否を判定する（Ｓ４０４）。
【００６５】
オーディオプレーヤー５３０の暫定鍵使用制限処理部３０１において暫定鍵の使用が可能であると判定された場合には、暗号復号処理部３０３において鍵情報格納用メモリ３０２に格納された鍵情報を用いて暗号化コンテンツが復号され（Ｓ４０５）、再生処理部３０５で再生される（Ｓ４０６）。
【００６６】
一方、オーディオプレーヤー５３０の暫定鍵使用制限処理部３０１において暫定鍵の使用が不可能であると判定された場合には、鍵情報格納用メモリ３０２に格納された鍵情報が無効化される（Ｓ４０７）。
【００６７】
例えば、暫定鍵使用制限処理部３０１が時間管理機能を有しており、暫定鍵使用制限情報として、鍵メディアがホスト機器から抜き取られた後に１時間だけ再生できるという条件が付いていた場合、暫定鍵使用制限処理部３０１はＳＤメモリカードをオーディオプレーヤー５３０から抜き取った後の時間を監視し、１時間だけは取得された暫定鍵で暗号化されたコンテンツを再生することが可能であり、１時間が過ぎると、暫定鍵はオーディオプレーヤー５３０の内部メモリで無効化される。このとき、使用可否のフラグが付けられるようになっていれば、使用不可能フラグがＯＮとされるような例も考えられる。
【００６８】
以上のステップが、テレビ５４０に対しても同様に行われる。
【００６９】
テレビ５４０においては、例えば、暫定鍵使用制限処理部３０１が時間管理機能を有しており、暫定鍵使用制限情報として、鍵メディアがホスト機器から抜き取られた後に３時間だけ再生できるという条件が付いていた場合、暫定鍵使用制限処理部３０１はＳＤメモリカードをテレビ５４０から抜き取った後の時間を監視し、３時間だけは取得された暫定鍵で暗号化されたコンテンツを再生することが可能であり、３時間が過ぎると、暫定鍵はテレビ５４０の内部メモリで無効化される。
【００７０】
なお、本実施例では、Ｓ４０１の後にＳ４０８を行う例を示したが、Ｓ４０１とＳ４０８は入れ替えても同様の効果が得られることは明らかである。
【００７１】
また、本実施例では、暫定鍵使用制限情報を、鍵メディアを抜き取ってから３時間までとしたが、時間はどれだけに設定しても構わない。また、鍵メディアを抜き取った後、最初に再生を開始した時からの時間で制限しても構わないし、暫定鍵使用制限情報として再生回数を用いても、鍵メディアとホスト機器との距離を用いても構わない。
【００７２】
また、暗号化コンテンツと暗号化鍵は、単数であっても複数であっても構わないし、再生するための暗号化コンテンツと暗号化鍵の対さえ揃えば、その他のものは対であっても対でなくても構わない。
【００７３】
また、本実施例では、再生装置として、オーディオプレーヤーとテレビを用いたが、前記構成を持った暗号化コンテンツの再生機能を持つ機器であれば、他の機器であっても構わない。
【００７４】
以上のような方法を用いることにより、鍵メディアをホスト機器から抜き取っても、単数または複数の暗号化コンテンツを再生することが可能となる。
【００７５】
また、暫定鍵使用制限処理部が時間管理機能を有することで、有限時間の再生を行うことが可能となる。
【００７６】
また、暫定鍵を使用制限情報に従い、無効化することで、著作権が保護される。
【００７７】
また、暗号化鍵とその使用制限情報の対応が容易に取れる。
【００７８】
また、暗号化コンテンツが暗号化鍵と同じメディアに格納されているため、鍵メディアを挿した機器で、機器が暗号化コンテンツを持っていなくても、再生することが可能となる。つまり、暗号化コンテンツと暗号化鍵との対応が容易に取れる。
【００７９】
また、暫定鍵使用制限情報を暗号化コンテンツ毎に設定することにより、暗号化コンテンツ毎に暫定鍵の使用制限情報を変更することが可能となる。
【００８０】
（実施の形態３）
本発明装置の実施の形態３における再生装置の構成図およびフロー図は、実施の形態１と同様の図１、図２を使用する。実施の形態３と実施の形態１との異なる点は、暫定鍵使用制限情報の例のみなので、実施の形態２を用いても同様の効果が得られる。ここでは、実施の形態３は実施の形態１と同様の構成とフローにより実現可能なもう一つの例を挙げる。
【００８１】
図７は、本発明の一実施例の形態における暫定鍵使用制限情報の一例である。暫定鍵使用情報としては、複数の制限情報が組み合わさっている。
【００８２】
次に、図１、図２、図７を用いて、本形態の再生装置の動作を説明する。
【００８３】
ここでは、鍵メディアとして、位置発信装置を内蔵したメモリカードを使用し、ホスト機器としては、暫定鍵使用制限処理部１０１が時間管理機能、回数管理機能および距離探知機能を有するビデオプレーヤーがあるとする。また、暗号化されたコンテンツはＤＶＤ―ＶＲのようなメディアに入っているものとする。さらに、暫定鍵使用制限情報としては、時間制限情報としてコンテンツの再生開始から３時間鍵が有効であるという情報と、回数制限情報としてコンテンツの再生を３回行う間鍵が有効であるという情報と、距離制限情報として鍵メディアが５０メートル以内に存在する場合に鍵が有効であるという情報が含まれているものとする。
【００８４】
先ず、ビデオプレーヤーの鍵メディア挿入部１０４に暗号化鍵が格納されたメモリカードが挿入されると、メモリカードのホストＩ／Ｆ１２４を通して、情報記録領域１２１に格納された鍵情報がビデオプレーヤーの鍵情報格納用メモリ１０２に格納される（Ｓ２０１）。
【００８５】
次に、ビデオプレーヤーの鍵情報格納用メモリ１０２に格納された鍵情報の使用を制限する暫定鍵使用制限情報が取得される（Ｓ２０２）。
【００８６】
暫定鍵使用制限情報がビデオプレーヤーに取得された後、メモリカードをビデオプレーヤーから抜き取る（Ｓ２０３）。
【００８７】
ビデオプレーヤーの暫定鍵使用制限処理部１０１では、取得された暫定鍵使用制限情報に基づき暫定鍵の使用可否を判定する（Ｓ２０４）。
【００８８】
ビデオプレーヤーの暫定鍵使用制限処理部１０１で暫定鍵の使用が可能であると判定された場合には、暗号復号処理部１０３において鍵情報格納用メモリ１０２に格納された鍵情報を用いて暗号化コンテンツが復号され（Ｓ２０５）、再生処理部１０５で再生される（Ｓ２０６）。
【００８９】
一方、ビデオプレーヤーの暫定鍵使用制限処理部１０１で暫定鍵の使用が不可能であると判定された場合には、鍵情報格納用メモリ１０２に格納された鍵情報が無効化される（Ｓ２０７）。
【００９０】
例えば、ここでは、ＤＶＤ−ＶＲに格納されている暗号化コンテンツの再生を開始すると、その時間から３時間の間は再生可能であるが、鍵メディアであるメモリカードが５０メートル以上離れたところに持っていかれてしまうと、その時点で鍵情報が無効化され、暗号化コンテンツは再生できなくなる。また、再生開始から３時間以内で、メモリカードが５０メートル以内に存在したとしても、同じコンテンツを３回視聴すると、その時点で鍵情報が無効化され、暗号化コンテンツは再生できなくなる。
【００９１】
なお、本実施の形態では、暫定鍵使用情報として時間制限情報、回数制限情報、距離制限情報を用いたが、鍵の使用を制限するための条件であれば、これらに限られることはない。例えば、本実施の形態では、位置発信装置を内蔵したメモリカードとしたが、ブルートゥースなどの所定の通信方式を用いて、その受信感度により制限してもよい。
【００９２】
以上のような方法を用いることにより、鍵メディアをホスト機器から抜き取っても、暗号化コンテンツを再生することが可能となる装置において、様々な条件でのサービスを展開できるようになる。
【００９３】
（実施の形態４）
本発明装置の実施の形態４における再生装置の構成図は、実施の形態１と同様の図１を使用する。
【００９４】
図８は、本発明の一実施例の形態における再生装置のフローチャートである。また、図９は、本発明の一実施例の形態における再生装置、及び、鍵メディアの概念図であって、９２０から９２４は図１の１２０から１２４と同様のものである。また、９３０はオーディオプレーヤー、９４０はテレビ、９５０はパソコン、９６０はサーバである。
【００９５】
次に、図１、図８、図９を用いて、本形態の再生装置の動作を説明する。
【００９６】
ここで、鍵メディア９２０はＳＤメモリカード、オーディオプレーヤー９３０およびテレビ９４０、パソコン９５０は図１のホスト機器１００の構成を持つものとする。また、暗号化コンテンツはサーバ９６０に格納されているものとする。
【００９７】
先ず、オーディオプレーヤー９３０にＳＤメモリカード挿入されると、ＳＤメモリカードの認証領域９２２に格納された鍵情報がオーディオプレーヤー９３０の鍵情報格納用メモリ１０２に格納される（Ｓ８０１）。
【００９８】
次に、オーディオプレーヤー９３０の鍵情報格納用メモリ１０２に格納された鍵情報の使用を制限する暫定鍵使用制限情報が取得される（Ｓ８０２）。
【００９９】
オーディオプレーヤー９３０に暗号化コンテンツが格納された後、ＳＤメモリカードをオーディオプレーヤー９３０から抜き取る（Ｓ８０３）。
【０１００】
オーディオプレーヤー９３０の暫定鍵使用制限処理部１０１では、取得された暫定鍵使用制限情報に基づき暫定鍵の使用可否を判定する（Ｓ８０４）。
【０１０１】
オーディオプレーヤー９３０暫定鍵使用制限処理部１０１で暫定鍵の使用が可能であると判定された場合には、サーバ９６０から暗号化コンテンツを取得し（Ｓ８０９）、暗号復号処理部１０３において鍵情報格納用メモリ１０２に格納された鍵情報を用いてＳ８０９で取得された暗号化コンテンツが復号され（Ｓ８０５）、再生処理部１０５で再生される（Ｓ８０６）。
【０１０２】
一方、オーディオプレーヤー９３０暫定鍵使用制限処理部１０１で暫定鍵の使用が不可能であると判定された場合には、鍵情報格納用メモリ１０２に格納された鍵情報が無効化される（Ｓ８０７）。
【０１０３】
例えば、暫定鍵使用制限処理部１０１が時間管理機能を有しており、暫定鍵使用制限情報として、暗号化されたコンテンツの再生開始から１時間だけ再生できるという条件が付いていた場合、暫定鍵使用制限処理部１０１はコンテンツの再生開始からの経過時間を監視し、再生開始から１時間だけは取得された暫定鍵で暗号化されたコンテンツを再生することが可能であり、１時間が過ぎると、暫定鍵はオーディオプレーヤー９３０の内部メモリで無効化される。
【０１０４】
以上のステップが、テレビ９４０、パソコン９５０に対しても同様に行われる。
【０１０５】
テレビ９４０においては、例えば、暫定鍵使用制限処理部１０１が時間管理機能を有しており、暫定鍵使用制限情報として、暗号化されたコンテンツの再生開始から２時間だけ再生できるという条件が付いていた場合、暫定鍵使用制限処理部１０１はコンテンツの再生開始からの経過時間を監視し、再生開始から２時間だけは取得された暫定鍵で暗号化されたコンテンツを再生することが可能であり、２時間が過ぎると、暫定鍵はテレビ９４０の内部メモリで無効化される。
【０１０６】
パソコン９５０においては、例えば、オーディオプレーヤー９３０やテレビ９４０で再生している同じコンテンツをサーバ９６０から取得して再生することも可能である。
【０１０７】
なお、本実施例では、Ｓ８０１の後にＳ８０２を行う例を示したが、Ｓ８０１とＳ８０２は入れ替えても同様の効果が得られることは明らかである。
【０１０８】
また、本実施例では、Ｓ８０２の後にＳ８０３を行う例を示したが、暫定鍵使用制限情報が鍵メディアに格納されている場合を除けば、鍵情報を取得するＳ８０１の後にＳ８０３を行っても同様の効果が得られることは明らかである。
【０１０９】
また、本実施例では、Ｓ８０４の後にＳ８０９を行う例を示したが、Ｓ８０５の前であればどこでＳ８０９を行っても同様の効果が得られることは明らかである。
【０１１０】
また、本実施例では、再生装置として、オーディオプレーヤーとテレビとパソコンを用いたが、前記構成を持った暗号化コンテンツの再生機能を持つ機器であれば、他の機器であっても構わない。
【０１１１】
以上のような方法を用いることにより、鍵メディアをホスト機器から抜き取っても、複数の再生機器で同じ暗号化コンテンツを再生することが可能となる。
【０１１２】
（実施の形態５）
本発明装置の実施の形態５における再生装置の構成図およびフロー図は、実施の形態２と同様の図３、図４を使用する。実施の形態５と実施の形態２との異なる点は、鍵情報と暫定鍵使用制限情報の格納場所のみであり、実施の形態１、３、４を用いても同様の効果が得られる。ここでは、実施の形態５は実施の形態２と同様の構成とフローにより実現可能なもう一つの例を挙げる。
【０１１３】
図１０は、本発明の一実施例の形態における鍵情報の格納方法の概念図であって、１０２０から１０２４は図３の３２０から３２４と同様のものである。ここでは、鍵情報および暫定鍵使用情報は、暗号化されて通常領域１０２３に格納されている。
【０１１４】
次に、図３、図４、図１０を用いて、本形態の再生装置の動作を説明する。
【０１１５】
ここでは、鍵メディアとして、位置発信装置を内蔵したメモリカードを使用し、ホスト機器としては、暫定鍵使用制限処理部３０１が距離探知機能を有するドキュメント表示装置があるとする。また、暗号化されたコンテンツはネットワーク経由で取得されるものとする。さらに、暫定鍵使用制限情報としては、距離制限情報として鍵メディアが３０メートル以内に存在する場合に鍵が有効であるという情報が含まれているものとする。
【０１１６】
先ず、ドキュメント表示装置にメモリカード挿入されると、メモリカードの通常領域３２３に格納された鍵情報および暫定鍵使用制限情報がドキュメント表示装置の鍵情報格納用メモリ３０２に格納される（Ｓ４０１）。
【０１１７】
次に、ドキュメント表示装置の暗号化コンテンツ格納用メモリ３１１に、ネットワーク経由で暗号化コンテンツが格納される（Ｓ４０８）。
【０１１８】
ドキュメント表示装置に暗号化コンテンツが格納された後、メモリカードをドキュメント表示装置から抜き取る（Ｓ４０３）。
【０１１９】
ドキュメント表示装置の暫定鍵使用制限処理部３０１では、取得された暫定鍵使用制限情報に基づき暫定鍵の使用可否を判定する（Ｓ４０４）。
【０１２０】
ドキュメント表示装置の暫定鍵使用制限処理部３０１において暫定鍵の使用が可能であると判定された場合には、暗号復号処理部３０３において鍵情報格納用メモリ３０２に格納された鍵情報を用いて暗号化コンテンツが復号され（Ｓ４０５）、再生処理部３０５で再生される（Ｓ４０６）。
【０１２１】
一方、ドキュメント表示装置の暫定鍵使用制限処理部３０１において暫定鍵の使用が不可能であると判定された場合には、鍵情報格納用メモリ３０２に格納された鍵情報が無効化される（Ｓ４０７）。
【０１２２】
例えば、暫定鍵使用制限処理部３０１はメモリカードの位置発信装置から発信された位置情報を探知し、をドキュメント表示装置との距離を監視し、メモリカードが３０メートル以内に存在する間のみ暗号化コンテンツの再生を行い、メモリカードとの距離が３０メートルを越えた時点で鍵情報が無効化され、暗号化コンテンツは再生できなくなる。
【０１２３】
このようにすることで、近くにいる家族や友達と、同じ暗号化コンテンツを複数の機器で共有して楽しむことができるようになる。そして、暗号化コンテンツを楽しんだ後に、お互いに離れると、鍵メディアであるメモリカードを持っていない機器では暗号化コンテンツは利用できなくなる。
【０１２４】
以上のような方法を用いることにより、実施の形態２の効果に加え、認証領域が通常領域よりも小さなＳＤカードのようなメディアにおいても、容量の大きな通常領域を利用してより多くの鍵情報を格納した鍵メディアを利用することで、より多くの暗号化コンテンツを暫定鍵で再生することが可能となる。
【０１２５】
なお、本実施例では、再生装置として、ドキュメント表示装置を用いたが、前記構成を持った暗号化コンテンツの再生機能を持つ機器であれば、他の機器であっても構わない。
【０１２６】
また、図１０においては、鍵メディアに認証領域１０２２を設けているが、本実施例においては鍵情報が暗号化されていれば、認証領域１０２２を持たない鍵メディアであっても同様の効果が得られることは明白である。
【０１２７】
また、本実施例では、Ｓ４０８の後にＳ４０３を行う例を示したが、暗号化コンテンツはネットワーク経由で暗号化コンテンツ格納用メモリ３１１に格納されるため、Ｓ４０８とＳ４０３は入れ替えても同様の効果が得られることは明らかである。また、同じ理由により、Ｓ４０１とＳ４０８を入れ替えても同様の効果が得られることは明らかである。しかしながら、これらの入れ替えの組み合わせによりＳ４０３がＳ４０１の前に行われてはならない。
【０１２８】
また、以上の実施の形態において説明した暗号化コンテンツ再生方法は、少なくともその一部をコンピュータ資源により実行可能なプログラムとして実施することもできる。また、そのプログラムをコンピュータにより読み取り可能な記録媒体に記録することも可能である。
【産業上の利用可能性】
【０１２９】
本発明にかかる暗号化コンテンツ再生装置および暗号化コンテンツ再生方法は、一つの鍵メディアを用いて、複数の場所にある暗号化コンテンツを再生する場合に適用できる。
【図面の簡単な説明】
【０１３０】
【図１】本発明の実施例の形態１における再生装置、及び、鍵メディアの構成図
【図２】本発明の実施例の形態１における再生装置のフローチャート
【図３】本発明の実施例の形態２における再生装置、及び、鍵メディアの構成図
【図４】本発明の実施例の形態２における再生装置のフローチャート
【図５】本発明の実施例の形態２における再生装置、及び、鍵メディアの概念図
【図６】本発明の実施例の形態２における鍵情報と暫定鍵使用制限情報の概念図
【図７】本発明の実施例の形態３における暫定鍵使用制限情報の一例を示す概念図
【図８】本発明の実施例の形態４における再生装置のフローチャート
【図９】本発明の実施例の形態４における再生装置、及び、鍵メディアの概念図
【図１０】本発明の実施例の形態５における鍵情報の格納方法の概念図
【符号の説明】
【０１３１】
１００、３００    ホスト機器
１０１、３０１    暫定鍵使用制限処理部
１０２、３０２    鍵情報格納用メモリ
１０３、３０３    暗号復号処理部
１０４、３０４    鍵メディア挿入部
１０５、３０５    再生処理部
１２０、３２０、５２０、９２０、１０２０    鍵メディア
１２１、３２１、５２１，９２１，１０２１    情報記録領域
１２２、３２２、５２２，９２２，１０２２    認証領域
１２３、３２３、５２３，９２３，１０２３    通常領域
１２４、３２４、５２４，９２４，１０２４    ホストＩ／Ｆ
３１１    暗号化コンテンツ格納用メモリ
５３０、９３０    オーディオプレーヤー
５４０、９４０    テレビ
９５０    パソコン
９６０    サーバ
【図１】
2008034891.tif 000003
【図２】
2008034891.tif 000004
【図３】
2008034891.tif 000005
【図４】
2008034891.tif 000006
【図５】
2008034891.tif 000007
【図６】
2008034891.tif 000008
【図７】
2008034891.tif 000009
【図８】
2008034891.tif 000010
【図９】
2008034891.tif 000011
【図１０】
2008034891.tif 000012